(57)【要約】      （修正有）【課題】調節可能偏光式３Ｄ及び２Ｄの互換性を有する３Ｄ眼鏡を提供する。【解決手段】調節可能偏光式３Ｄ及び２Ｄの互換性を有する３Ｄ眼鏡は、眼鏡フレームと、眼鏡フレーム上に固定する左右レンズと、を含み、眼フレーム上に受信モード調整モジュールを設け、左右レンズが偏光角度を調節可能な偏光レンズであり、受信モード調整モジュールが左、右偏光レンズの偏光角度を調節する。【選択図】図１
0003179529.tif 000002
【実用新案登録請求の範囲】
【請求項１】
眼鏡フレーム及び前記眼鏡フレーム上に固定される左右レンズを含み、前記眼鏡フレーム上に受信モード調整モジュールを設け、前記左右レンズが偏光角度を調節可能な偏光レンズであり、受信モード調整モジュールが左右偏光レンズの偏光角度を調節することを特徴とする調節可能偏光式3D及び2Dの互換性を有する3D眼鏡。
【請求項２】
前記受信モード調整モジュールが機械ボタン式の機械受信モード調整モジュール又は電子センサ方式の電子受信モード調整モジュールであることを特徴とする請求項１に記載の調節可能偏光式3D及び2Dの互換性を有する3D眼鏡。
【請求項３】
前記眼鏡フレーム上に更に偏光角度調整インジケータを設けることを特徴とする請求項１に記載の調節可能偏光式3D及び2Dの互換性を有する3D眼鏡。
【考案の詳細な説明】
【技術分野】
【０００１】
本考案は、3D表示技術分野に属し、特に、調節可能偏光式3D及び2Dの互換性を有する3D眼鏡に関する。
【背景技術】
【０００２】
現在、3D表示技術は、眼鏡式と裸眼式の大きく２類に分けることができる。現在の民間市場について、技術的制限及びコスト面の考慮により、眼鏡式が比較的普及し、裸眼式は、稀である。眼鏡式3D表示技術は、主に３種の類型：色差式、偏光式、アクティブシャッター式、即ち、通常呼ばれている色分割法、光分割法及び時間分割法を含み、そのうち、偏光式及びアクティブシャッター式は、表示効果が良好であることによって表示装置メーカーにより広く採用されている。
【０００３】
家庭に普及している3D表示技術において、偏光式の表示原理であるか、アクティブシャッター式の表示原理であるかに関わらず、何れも専門の3D眼鏡をかけて使用者の左右の眼が受け取る画面に差異をもたせ、その後、人体内において、処理を行い、3D表示の感じを得る方法を採用している。使用者が3Dモードを選択する場合、この時、使用者が専門の3D眼鏡をかければ、3Dの画面を観賞できるが、3Dモードで使用者が直接裸眼で表示スクリーンを観覧した場合、表示スクリーンが送り出す画面が左右の眼に対応して差異を有し、このように、使用者がただ漠然としてゴースト画面をみることしかできず、即ち、一部の使用者が3D眼鏡をかけて3D表示モードで観覧する時、その他の使用者は、直接裸眼で鮮明なスクリーン画面を見ることができず、2Dの画面を見ることもできない。また、現在の3D表示技術の制限により、長時間3D画面を観覧することで使用者は、容易に不快感を有し、使用者がこの時、3D表示モードを退出して2D表示モードを選択すれば、同時に3D表示モードを観覧するその他の観衆に必然的に影響を及ぼす。総じて、現在の3D眼鏡は、3D及び2Dの表示画面の同時観覧を実現することができない。
【考案の概要】
【考案が解決しようとする課題】
【０００４】
現有技術の不足を克服する為、本考案の目的は、異なるスクリーンにおいて、3D及び2Dの画面を同時に観覧できる調節可能偏光式3D及び2Dの互換性を有する3D眼鏡を提供することにある。
【課題を解決するための手段】
【０００５】
本考案の技術試案は、以下である：調節可能偏光式3D及び2Dの互換性を有する3D眼鏡が、眼鏡フレーム及び眼鏡フレーム上に固定される左右レンズを含み、前記眼鏡フレーム上に受信モード調整モジュールを設け、左右レンズが偏光角度を調節可能な偏光レンズであり、受信モード調整モジュールが左右偏光レンズの偏光角度を調節する。
【０００６】
前記受信モード調整モジュールが機械ボタン式の機械受信モード調整モジュール又は電子センサ方式の電子受信モード調整モジュールである。
【０００７】
本考案の前記眼鏡フレームに更に偏光角度調整インジケータを設け、それが受信モード調整モジュールにより制御される。従って、偏光角度の調整精度を確保することができ、3D眼鏡がより安定した精確な状況で高品質の画面受信を実現できるよう保証する。
【０００８】
本考案が記載する調節可能偏光式3D及び2Dの互換性を有する3D眼鏡の調節方法は、以下である:前記受信モード調整モジュールが3D眼鏡に受信モードを調整する命令を発送し、3D眼鏡が命令を受信した後、左右レンズの偏光角度に対し、調整を行い、左右レンズがそれぞれ２つの偏光角度を有し、１つの偏光角度がθであり、もう１つの偏光角度が90°+θであり、左右レンズの偏光角度が同一である時、3D眼鏡が2Dグラフィックを受信する。左右レンズの偏光角度が一致しない時、3D眼鏡が3D図形を受信する。
【０００９】
そのうち、前記偏光角度θの範囲が0°<θ<90°である。
【００１０】
本考案が記載する受信モードは、以下の４種を含み、
受信モード１：正常3D受信モードであり、前記受信装置上の左レンズの偏光角度が90°+θであり右レンズの偏光角度がθであり、
該受信モードにおいて、3D眼鏡が適合する外部表示装置に組み合わせれば、3D画像の受信を満足することができる。
【００１１】
受信モード２:3D受信モードの２つ目であり、前記受信モード調整モジュールは、3D眼鏡に受信モードを調整する命令を発送し、3D眼鏡が命令を受信した後、左右レンズの偏光角度に対し、調整を行い、左右レンズの回転又は左右レンズの交換を経て左レンズの偏光角度をθに調整し、右レンズの偏光角度調整を90°+θに調整し、
該受信モードにおいて、3D眼鏡が対応するのは、依然として3D受信モードであるが、受信モード１と比較し、受信モード２の左右レンズの偏光角度は、交換を行っているので、該受信モード下の左右の眼が観覧する受信画面も交換され、即ち、外部表示装置を調整しない状況で、3D眼鏡レンズの偏光角度を調整することによって、左右の眼が受け取る画面の交換を完成することができる。
【００１２】
受信モード３:2D受信モードの１つ目であり、前記受信モード調整モジュールが3D眼鏡に受信モードを調整する命令を発送し、3D眼鏡が命令を受信した後、左レンズの偏光角度に対し、調整を行い、左レンズの回転又は交換によって、左レンズの偏光角度をθに調整し、右レンズの偏光角度をθに保持し、
該受信モードにおいて、左右レンズの偏光角度及び受信モード１の右レンズの偏光角度は、一致するので、使用者の左右両眼が受け取る実際の画面は、2D 表示画面であり、従って、3D画面を2Dで受信を行うことを実現している。
【００１３】
受信モード４:2D受信モードの２つ目であり、前記受信モード調整モジュールは、3D眼鏡に受信モードを調整する命令を発送し,3D眼鏡が命令を受信した後、右レンズの偏光角度に対し、調整を行い、右レンズの回転又は交換によって、右レンズの偏光角度を90°+θに調整し、左レンズの偏光角度を90°+θに保持する。
【００１４】
該受信モードにおいて、左右レンズの偏光角度及び受信モード１の左レンズの偏光角度が一致しているので、使用者の左右両眼が受け取る実際の画面は、受信モード１中の左眼が受け取る実際の画面であり、2D表示画面であり、従って、3D画面を2Dで受信を行うことを実現している。
【００１５】
本考案の3D眼鏡は、線形偏光に適用されるだけでなく、更に線形偏光系中に位相差フィルムを加えて円偏光を実現する円偏光に適用される。
【００１６】
本考案の3D眼鏡において、以上の４種の受信モードを有するが、使用者は、3Dコンテンツの観覧を必要とする時、受信モード１又は２を選択し、使用者が2Dコンテンツの観覧を必要とする時、受信モード3又は4を選択する。このように、同一スクリーンにおいて、使用者は、自己の要求に基づき、異なる受信モードを選択し、同一スクリーンで異なる使用者がそれぞれ3D及び2D画面を観覧することを実現する。
【考案の効果】
【００１７】
本考案の調節可能偏光式3D及び2Dの互換性を有する3D眼鏡の技術試案は、外部表示装置の制御を変更することなく、3D眼鏡上のレンズの偏光角度を調節することによって、3D及び2D画面の互換受信を達成する。同時に、使用者は、受信モード調整モジュールの受信モードを変更することで、同一スクリーンで、異なる使用者がそれぞれ3D及び2D画面を観覧することを実現する。
【図面の簡単な説明】
【００１８】
【図１】本考案の調節可能偏光式3D及び2Dの互換性を有する3D眼鏡の構造説明図である。
【図２】本考案の受信モード１において、左右レンズの偏光角度の説明図である。
【図３】本考案の受信モード２において、左右レンズの偏光角度の説明図である。
【図４】本考案の受信モード３において、左右レンズの偏光角度の説明図である。
【図５】本考案の受信モード４において、左右レンズの偏光角度の説明図である。
【考案を実施するための形態】
【００１９】
図１〜図５に示すように、本考案は、眼鏡フレーム１及び眼鏡フレーム１上に固定される左右レンズ３，４を含み、前記眼鏡フレーム１上に受信モード調整モジュール２を設け、左右レンズ３，４が偏光角度を調節可能な偏光レンズであり、受信モード調整モジュール２が左右偏光レンズ３，４の偏光角度を調節する。
【００２０】
前記受信モード調整モジュール２が機械ボタン式の機械受信モード調整モジュール又は電子センサ方式の電子受信モード調整モジュールである。
【００２１】
本考案の前記眼鏡フレーム１に更に偏光角度調整インジケータ５を設け、それが受信モード調整モジュール２により制御される。従って、偏光角度の調整精度を確保することができ、3D眼鏡がより安定した精確な状況で高品質の画面受信を実現できるよう保証する。
【００２２】
本考案が記載する調節可能偏光式3D及び2Dの互換性を有する3D眼鏡の調節方法は、以下である:前記受信モード調整モジュールが3D眼鏡に受信モードを調整する命令を発送し、3D眼鏡が命令を受信した後、左右レンズ３，４の偏光角度に対し、調整を行い、左右レンズ３，４がそれぞれ２つの偏光角度を有し、１つの偏光角度がθであり、もう１つの偏光角度が90°+θであり、左右レンズ３，４の偏光角度が同一である時、3D眼鏡が2Dグラフィックを受信する。左右レンズ３，４の偏光角度が一致しない時、3D眼鏡が3D図形を受信する。
【００２３】
そのうち、前記偏光角度θの範囲が0°<θ<90°である。
【００２４】
本考案が記載する受信モードは、以下の４種を含み、
図２に示すように、受信モード１は、以下である：正常3D受信モードであり、前記受信装置上の左レンズ３の偏光角度が90°+θであり右レンズ４の偏光角度がθであり、
該受信モードにおいて、3D眼鏡が適合する外部表示装置に組み合わせれば、3D画像の受信を満足することができる。
【００２５】
図３に示すように、受信モード２は、以下である:3D受信モードの２つ目であり、前記受信モード調整モジュール２は、3D眼鏡に受信モードを調整する命令を発送し、3D眼鏡が命令を受信した後、左右レンズ３，４の偏光角度に対し、調整を行い、左右レンズ３，４の回転又は左右レンズ３，４の交換を経て左レンズ３の偏光角度をθに調整し、右レンズ４の偏光角度調整を90°+θに調整し、
該受信モードにおいて、3D眼鏡が対応するのは、依然として3D受信モードであるが、受信モード１と比較し、受信モード２の左右レンズ３，４の偏光角度は、交換を行っているので、該受信モード下の左右の眼が観覧する受信画面も交換され、即ち、外部表示装置を調整しない状況で、3D眼鏡レンズの偏光角度を調整することによって、左右の眼が受け取る画面の交換を完成することができる。
【００２６】
図４に示すように、受信モード３:2D受信モードの１つ目であり、前記受信モード調整モジュール２が3D眼鏡に受信モードを調整する命令を発送し、3D眼鏡が命令を受信した後、左レンズ３の偏光角度に対し、調整を行い、左レンズ３の回転又は交換によって、左レンズ３の偏光角度をθに調整し、右レンズ４の偏光角度をθに保持し、
該受信モードにおいて、左右レンズ３，４の偏光角度及び受信モード１の右レンズ４の偏光角度は、一致するので、使用者の左右両眼が受け取る実際の画面は、2D 表示画面であり、従って、3D画面を2Dで受信を行うことを実現している。
【００２７】
図５に示すように、受信モード４:2D受信モードの２つ目であり、前記受信モード調整モジュール２は、3D眼鏡に受信モードを調整する命令を発送し,3D眼鏡が命令を受信した後、右レンズ４の偏光角度に対し、調整を行い、右レンズ４の回転又は交換によって、右レンズ４の偏光角度を90°+θに調整し、左レンズ３の偏光角度を90°+θに保持する。
【００２８】
該受信モードにおいて、左右レンズ３，４の偏光角度及び受信モード１の左レンズ３の偏光角度が一致しているので、使用者の左右両眼が受け取る実際の画面は、受信モード１中の左眼が受け取る実際の画面であり、2D表示画面であり、従って、3D画面を2Dで受信を行うことを実現している。
【００２９】
本考案の3D眼鏡は、線形偏光に適用されるだけでなく、更に線形偏光系中に位相差フィルムを加えて円偏光を実現する円偏光に適用される。
【００３０】
本考案の3D眼鏡は、線形偏光に応用する時、左右レンズの偏光角度の調整は、偏光レンズの交換又はレンズの偏光角度の回転によって実現することができる。
【００３１】
本考案の3D眼鏡は、円偏光に応用する時、円偏光の3D眼鏡の偏光は、レンズ上に設置する位相差フィルム及び偏光レンズの共同作用により実現し、位相差フィルムが偏光レンズ上面に直接固定する場合、左右レンズの偏光角度の調整は、ただ偏光レンズの交換によってのみ実現でき、位相差フィルム及び偏光レンズが分離できる場合、位相差フィルムの光軸角度が変化しないよう保持し、偏光レンズの偏光角度を調節することで実現することができる。
【００３２】
本考案の3D眼鏡において、以上の４種の受信モードを有するが、使用者は、3Dコンテンツの観覧を必要とする時、受信モード１又は２を選択し、使用者が2Dコンテンツの観覧を必要とする時、受信モード３又は４を選択する。このように、同一スクリーンにおいて、使用者は、自己の要求に基づき、異なる受信モードを選択し、同一スクリーンで異なる使用者がそれぞれ3D及び2D画面を観覧することを実現する。
【符号の説明】
【００３３】
１  眼鏡フレーム
２  受信モード調整モジュール
３  左レンズ
４  右レンズ
５  偏光角度調整インジケータ
【図１】
0003179529.tif 000003
【図２】
0003179529.tif 000004
【図３】
0003179529.tif 000005
【図４】
0003179529.tif 000006
【図５】
0003179529.tif 000007